【手続補正書】
【提出日】平成18年9月15日(2006.9.15)
【手続補正１】
【補正対象書類名】明細書
【補正対象項目名】特許請求の範囲
【補正方法】変更
【補正の内容】
【特許請求の範囲】
【請求項１】  複数のサービスの中の各サービスが少なくとも一つのアプリケーションを保持するディジタルトランスポートストリーム内の前記複数のサービス内のアプリケーションデータの伝送方法であって、前記方法は、前記トランスポートストリーム内に、前記複数のサービスの中の各サービスが保持する前記少なくとも一つのアプリケーションに関する情報を有するアプリケーションデータテーブルを備えるステップを含むことを特徴とするアプリケーションデータの伝送方法。
【請求項２】  前記アプリケーションデータテーブルは、トランスポートパケット内に於けるアプリケーションデータテーブルの存在の有無に関連する予め決められたパケットＩＤを有する、前記トランスポートパケットとしてトランスポートされることを特徴とする請求項１に記載の方法。
【請求項３】  前記アプリケーションデータテーブルは、デコーダがアプリケーションデータテーブルを既知の運用業者から発せられたものとして検証することを可能にするように電子的に署名されることを特徴とする請求項１または２に記載の方法。
【請求項４】  各々のサービスは更に、そのサービスが保持するアプリケーションへのアクセスを与えるプログラムマップテーブルを含んでおり、また前記プログラムマップテーブル自身は、そのサービスが保持する前記少なくとも一つのアプリケーションに関する情報を含んでいることを特徴とする請求項１乃至３のいずれかに記載の方法。
【請求項５】  前記アプリケーションデータテーブルは更に、各サービスを介してどのアプリケーションがアクセス可能であるかに関する情報を含んでいることを特徴とする請求項１乃至４のいずれかに記載の方法。
【請求項６】  前記アプリケーションデータテーブル内に保持されたアプリケーション情報は更に、アプリケーションの実行に必要なメモリのサイズに関する情報を含んでいることを特徴とする請求項１乃至５のいずれかに記載の方法。
【請求項７】  前記アプリケーションデータテーブル内のアプリケーション情報は、アプリケーションの相対的優先順位を示す優先値を含むことを特徴とする請求項１乃至６のいずれかに記載の方法。
【請求項８】  前記アプリケーションデータテーブル内のアプリケーション情報は、あるアプリケーションが少なくとも一つのサービスに限定されていることを示すサービス限定値を含むことを特徴とする請求項１乃至７のいずれかに記載の方法。
【請求項９】  前記アプリケーションデータテーブル内のアプリケーション情報は、サービスの変更時にアプリケーションに関して取られるべき措置に関するフラグ値を含むことを特徴とする請求項１乃至８のいずれかに記載の方法。
【請求項１０】  前記方法は、複数の前記アプリケーションデータテーブルを備えるステップを含んでおり、且つ各々のアプリケーションデータテーブルは、一組（１ブーケ）のサービス内に含まれるアプリケーションに関する情報を含むものであることを特徴とする請求項１乃至９のいずれかに記載の方法。
【請求項１１】  各々のアプリケーションデータテーブルは、トランスポートパケット内のテーブルまたはセクションのいずれかにトランスポートされ、各アプリケーションデータテーブルは、特性テーブルＩＤ及び特性テーブルＩＤ拡張値のいずれかを有するテーブルまたはセクションのいずれかに関連していることを特徴とする請求項１０に記載の方法。
【請求項１２】  ディジタルテレビジョンシステムに適用されることを特徴とする請求項１乃至１１のいずれかに記載の方法。
【請求項１３】  前記ディジタルトランスポートストリームは、ＭＰＥＧ規格に従っていることを特徴とする請求項１乃至１２のいずれかに記載の方法。
【請求項１４】  伝送装置であって、トランスポートストリーム内の複数の前記サービスが保持するアプリケーションに関する情報を有するアプリケーションデータテーブルと共に複数のサービスを含むトランスポートストリームを伝送する手段を含むことを特徴とする伝送装置。
【請求項１５】  前記伝送手段は、トランスポートパケット内のアプリケーションデータテーブルの有無に関する予め決められたパケットＩＤ値を有するトランスポートパケットとしてアプリケーションデータテーブルを伝送することに適応していることを特徴とする請求項１４に記載の伝送装置。
【請求項１６】  デコーダがアプリケーションデータテーブルを既知の運用業者から発したものとして検証することを可能にするように前記アプリケーションデータテーブルに電子的に署名する手段を含むことを特徴とする請求項１４または１５に記載の伝送装置。
【請求項１７】  前記伝送手段は、各サービスが保持するアプリケーションへのアクセスを与えるプログラムマップテーブルを各サービスごとに伝送することに適応しており、また前記プログラムマップテーブル自身は、そのサービスが保持する前記少なくとも一つのアプリケーションに関する情報を含んでいることを特徴とする請求項１４乃至１６のいずれかに記載の伝送装置。
【請求項１８】  前記アプリケーションデータテーブルは更に、各サービスを介してどのアプリケーションがアクセス可能であるかに関する情報を含んでいることを特徴とする請求項１４乃至１７のいずれかに記載の伝送装置。
【請求項１９】  前記アプリケーションデータテーブル内に保持されたアプリケーション情報は更に、アプリケーションの実行に必要なメモリのサイズに関する情報を含んでいることを特徴とする請求項１４乃至１８のいずれかに記載の伝送装置。
【請求項２０】  前記アプリケーションデータテーブル内のアプリケーション情報は、アプリケーションの相対的優先順位を示す優先値を含むことを特徴とする請求項１４乃至１９のいずれかに記載の伝送装置。
【請求項２１】  前記アプリケーションデータテーブル内のアプリケーション情報は、あるアプリケーションが少なくとも一つのサービスに限定されていることを示すサービス限定値を含むことを特徴とする請求項１４乃至２０のいずれかに記載の伝送装置。
【請求項２２】  前記アプリケーションデータテーブル内のアプリケーション情報は、サービスの変更時にアプリケーションと共に取られるべき措置に関するフラグ値を含むことを特徴とする請求項１４乃至２１のいずれかに記載の伝送装置。
【請求項２３】  前記伝送手段は、各々のアプリケーションデータテーブルが一組（１ブーケ）のサービスに含まれるアプリケーションに関する情報を含んでいる複数の前記アプリケーションデータテーブルを伝送することに適応していることを特徴とする請求項１４乃至２２のいずれかに記載の伝送装置。
【請求項２４】  前記伝送手段は、トランスポートパケット内のテーブルまたはセクションのいずれかで各アプリケーションデータテーブルを伝送することに適応しており、各アプリケーションデータテーブルは特性テーブルＩＤまたは特性テーブルＩＤ拡張値のいずれかを有するテーブルまたはセクションのいずれかに関連していることを特徴とする請求項２３に記載の伝送装置。
【請求項２５】  前記ディジタルトランスポートストリームは、ＭＰＥＧ規格に従っていることを特徴とする請求項１４乃至２４のいずれかに記載の伝送装置。
【請求項２６】  請求項１４乃至２５のいずれかに記載の伝送装置を含むことを特徴とするディジタルテレビジョンシステム。
【請求項２７】  デコーダであって、前記デコーダは、トランスポートストリーム内の複数のサービスが保持するアプリケーションに関する情報を有するアプリケーションデータテーブルを記憶するためのメモリと、前記アプリケーションデータテーブル内に含まれる情報に依存してこのようなアプリケーションのダウンロードと維持のうちの少なくとも一つを制御する手段とを含むことを特徴とする前記デコーダ。
【請求項２８】  前記デコーダでは、前記アプリケーションデータテーブルは電子的に署名される様に構成されており、それによって前記デコーダが、前記アプリケーションデータが既知の運用業者から発せられたものとして検証することを可能にすることを特徴とする請求項２７に記載のデコーダ。
【請求項２９】  前記アプリケーションデータテーブルは更に、各サービスを介してどのアプリケーションがアクセス可能であるかに関する情報を含んでいることを特徴とする請求項２７又は２８に記載のデコーダ。
【請求項３０】  前記アプリケーションデータテーブル内に保持されたアプリケーション情報は更に、アプリケーションの実行に必要なメモリのサイズに関する情報を含んでいることを特徴とする請求項２７乃至２９のいずれかに記載のデコーダ。
【請求項３１】  前記アプリケーションデータテーブル内のアプリケーション情報は、アプリケーションの相対的優先順位を示す優先値を含むことを特徴とする請求項２７乃至３０のいずれかに記載のデコーダ。
【請求項３２】  前記アプリケーションデータテーブル内のアプリケーション情報は、あるアプリケーションが少なくとも一つのサービスに限定されていることを示すサービス限定値を含むことを特徴とする請求項２７乃至３１のいずれかに記載のデコーダ。
【請求項３３】  前記アプリケーションデータテーブル内のアプリケーション情報は、サービスの変更時に、アプリケーションと共に取られるべき措置に関するフラグ値を含むことを特徴とする請求項２７乃至３２のいずれかに記載のデコーダ。